(57)【要約】【課題】滞留事象による排水横枝管内の尿石発生を抑制した小便器を提供することを目的とする。【解決手段】制御ユニット５４は、本洗浄モードＭ０を実行してから第一洗浄モードＭ１もしくは第二洗浄モードＭ２を実行するまでに人体検知センサ５２が使用者の接近を検知したとき、予定されていた第一洗浄モードおよび第二洗浄モードの実行をキャンセルすると共にボウル部１６への洗浄水の供給を強制的に開始する強制開始モードＭ３を有する。【選択図】図１０
2019152071.tif 000002
【特許請求の範囲】
【請求項１】
トイレに設置され、器具排水管によって横に延びる排水横枝管の途中に接続される小便器であって、
尿流を受けるボウル部と、このボウル部の底部に開口した排水口と、この排水口から流入する尿及び洗浄水を溜めるとともに排水として前記器具排水管に排出するトラップ部と、を有する小便器本体と、
前記小便器本体の前方の使用者を検知する検知手段と、
前記ボウル部に洗浄水を供給するための給水手段と、
前記ボウル部への洗浄水の供給を制御する制御手段と、を備え、
前記制御手段は、
前記検知手段が使用者の立ち去りを検知すると、前記ボウル部を洗浄し且つ前記トラップ部内の尿を排出する本洗浄モードと、
前記本洗浄モードが実行された後、一部の洗浄水が前記排水横枝管内を前記器具排水管が接続された接続部より上流側を洗浄する第一洗浄モードと、
を有し、
前記制御手段は、さらに、
前記本洗浄モードを実行してから前記第一洗浄モードの実行を開始するまでに前記検知手段が使用者の接近を検知したとき、予定されていた前記第一洗浄モードの実行をキャンセルすると共に前記ボウル部への洗浄水の供給を強制的に開始する強制開始モードを有することを特徴とする小便器。
【請求項２】
前記制御手段は、前記第一洗浄モードが実行された後から、前記第一洗浄モードにより前記接続部よりも上流側を洗浄した洗浄水が前記接続部よりも下流側に流下すると想定される所定時間を経過した後、一部の洗浄水が前記接続部よりも上流側を洗浄する第二洗浄モードを有し、前記第一洗浄モードを実行してから前記第二洗浄モードの実行を開始するまでに前記検知手段が使用者の接近を検知したとき、予定されていた前記第二洗浄モードの実行をキャンセルすると共に前記強制開始モードを実行する請求項１に記載の小便器。
【請求項３】
前記制御手段は、前記小便器を使用した使用者数のカウントが所定人数を超えたときに、前記強制開始モードを実行する請求項１又は２に記載の小便器。
【請求項４】
トイレに設置され、器具排水管によって横に延びる排水横枝管の途中に接続される小便器であって、
尿流を受けるボウル部と、このボウル部の底部に開口した排水口と、この排水口から流入する尿及び洗浄水を溜めるとともに排水として前記器具排水管に排出するトラップ部と、を有する小便器本体と、
前記小便器本体の前方の使用者を検知する検知手段と、
前記ボウル部に洗浄水を供給するための給水手段と、
前記ボウル部への洗浄水の供給を制御する制御手段と、を備え、
前記制御手段は、
前記検知手段が使用者の接近を検知すると、前記ボウル部に洗浄水を供給する前洗浄モードと、
前記検知手段が使用者の立ち去りを検知すると、前記ボウル部を洗浄し且つ前記トラップ部内の尿を排出する本洗浄モードと、
前記本洗浄モードが実行された後、一部の洗浄水が前記排水横枝管内を前記器具排水管が接続された接続部より上流側を洗浄する第一洗浄モードと、
前記制御手段は、さらに、
前記本洗浄モードを実行してから前記第一洗浄モードの実行を開始するまでに前記検知手段が使用者の接近を検知したとき、予定されていた前記第一洗浄モードの実行をキャンセルすると共に前記ボウル部への洗浄水の供給量が通常時よりも多い前記前洗浄モードを実行することを特徴とする小便器。
【発明の詳細な説明】
【技術分野】
【０００１】
本発明は、トイレに設置され、器具排水管によって排水横枝管に接続される小便器に関する。
【背景技術】
【０００２】
連立設置した小便器に接続された排水横枝管では、小便器から排水された排水初期の尿濃度の高い洗浄水の一部が合流部において上流側に逆流してしまうことがある。このようにして最初に上流側へ逆流した尿濃度の高い洗浄水は、逆流した後に合流部へ流入する洗浄水によってより上流側に押し上げられ、その後本洗浄が終了して合流部へ流入する洗浄水量が少なくなってから下流側へと流れる。したがって、最後に尿濃度の高い洗浄水が排水横枝管内を通過することになり、尿濃度の高い洗浄水が最後まで流れきれずに排水横枝管内に滞留する滞留事象が生じることがある。この滞留事象が生じることで、排水横枝管内に尿石が発生してしまうおそれがある。
【０００３】
この滞留事象による尿石の発生を抑制するために、特許文献１の小便器では、本洗浄モードを実行した後に、第一設備洗浄モードおよび第二設備洗浄モードを実行することにより、尿濃度の比較的低い洗浄水が最後に排水横枝管内を流れるようにしている。
【０００４】
また、特許文献２の小便器では、本洗浄を第一洗浄モードと第二洗浄モードとに分けることで、同じく尿濃度の比較的低い洗浄水が最後に排水横枝管内を流れるようにしている。
【先行技術文献】
【特許文献】
【０００５】
【特許文献１】特開２０１６−６１０７０号公報
【特許文献２】特許第５６９２４２２号公報
【発明の概要】
【発明が解決しようとする課題】
【０００６】
一方で、特許文献１のような小便器において、滞留事象の発生を抑制するためには本洗浄モードが終了してから一定時間が経った後に第一設備洗浄モードおよび第二設備洗浄モードを実行する必要がある。そのため、前の使用者と次の使用者の入れ替わりが早かった場合は、第一設備洗浄モードもしくは第二設備洗浄モードを実行している途中に次の使用者が放尿を開始してしまうおそれがある。そうすると、第一設備洗浄モードおよび第二設備洗浄モードで排水横枝管内へ供給される洗浄水は尿混じりの洗浄水となってしまい、第一設備洗浄モードおよび第二設備洗浄モードが上述した滞留事象による尿石発生を抑制する役割を果たすことができず、無駄水となってしまう。
また、特許文献２の小便器も同じように、前の使用者と次の使用者の入れ替わりが早かった場合は、第二洗浄モードを実行している途中に次の使用者が放尿を開始してしまうおそれがあり、そうすると、第二洗浄モードで排水横枝管内へ供給される洗浄水は尿混じりの洗浄水となってしまい、第二洗浄モードが上述した滞留事象による尿石発生を抑制する役割を果たすことができず、無駄水となってしまう。
【０００７】
本発明は、上述した問題を解決するためになされたものであり、滞留事象による排水横枝管内の尿石発生を抑制した小便器を提供することを目的とする。
【課題を解決するための手段】
【０００８】
本発明の一態様に係る小便器は、トイレに設置され、器具排水管によって横に延びる排水横枝管の途中に接続される小便器であって、尿流を受けるボウル部と、このボウル部の底部に開口した排水口と、この排水口から流入する尿及び洗浄水を溜めるとともに排水として前記器具排水管に排出するトラップ部と、を有する小便器本体と、前記小便器本体の前方の使用者を検知する検知手段と、前記ボウル部に洗浄水を供給するための給水手段と、前記ボウル部への洗浄水の供給を制御する制御手段と、を備え、前記制御手段は、前記検知手段が使用者の立ち去りを検知すると、前記ボウル部を洗浄し且つ前記トラップ部内の尿を排出する本洗浄モードと、前記本洗浄モードが実行された後、一部の洗浄水が前記排水横枝管内を前記器具排水管が接続された接続部より上流側を洗浄する第一洗浄モードと、を有し、前記制御手段は、さらに、前記本洗浄モードを実行してから前記第一洗浄モードの実行を開始するまでに前記検知手段が使用者の接近を検知したとき、予定されていた前記第一洗浄モードの実行をキャンセルすると共に前記ボウル部への洗浄水の供給を強制的に開始する強制開始モードを有する。
【０００９】
この構成によれば、使用者は小便器に接近してから放尿を開始するまでに所定の準備時間を必要とするため、強制開始モードにおいて器具配水管および排水横枝管に流れ込む小便器からの排水は、ほとんど尿が含まれていない比較的きれいな水である。したがって、強制開始モードの実行により、使用者が放尿している状態で第一洗浄モードを実施する場合に比べて、滞留事象による排水横枝管の尿石発生を抑制することができる。
【００１０】
本発明の一態様に係る小便器において、好ましくは、前記制御手段は、前記第一洗浄モードが実行された後から、前記第一洗浄モードにより前記接続部よりも上流側を洗浄した洗浄水が前記接続部よりも下流側に流下すると想定される所定時間を経過した後、一部の洗浄水が前記接続部よりも上流側を洗浄する第二洗浄モードを有し、前記第一洗浄モードを実行してから前記第二洗浄モードの実行を開始するまでに前記検知手段が使用者の接近を検知したとき、予定されていた前記第二洗浄モードの実行をキャンセルすると共に前記強制開始モードを実行する。
【００１１】
この構成によれば、使用者が放尿している状態で第二洗浄モードを実施する場合に比べて、滞留事象による排水横枝管の尿石発生を抑制することができる。
【００１２】
本発明の一態様に係る小便器において、好ましくは、前記制御手段は、前記小便器を使用した使用者数のカウントが所定人数を超えたときに、前記強制開始モードを実行する。
【００１３】
この構成によれば、節水化を実現しつつ、滞留事象による排水横枝管の尿石発生を抑制することができる。
【００１４】
本発明の一態様に係る小便器は、トイレに設置され、器具排水管によって横に延びる排水横枝管の途中に接続される小便器であって、尿流を受けるボウル部と、このボウル部の底部に開口した排水口と、この排水口から流入する尿及び洗浄水を溜めるとともに排水として前記器具排水管に排出するトラップ部と、を有する小便器本体と、前記小便器本体の前方の使用者を検知する検知手段と、前記ボウル部に洗浄水を供給するための給水手段と、前記ボウル部への洗浄水の供給を制御する制御手段と、を備え、前記制御手段は、前記検知手段が使用者の接近を検知すると、前記ボウル部に洗浄水を供給する前洗浄モードと、前記検知手段が使用者の立ち去りを検知すると、前記ボウル部を洗浄し且つ前記トラップ部内の尿を排出する本洗浄モードと、前記本洗浄モードが実行された後、一部の洗浄水が前記排水横枝管内を前記器具排水管が接続された接続部より上流側を洗浄する第一洗浄モードと、前記制御手段は、さらに、前記本洗浄モードを実行してから前記第一洗浄モードの実行を開始するまでに前記検知手段が使用者の接近を検知したとき、予定されていた前記第一洗浄モードの実行をキャンセルすると共に前記ボウル部への洗浄水の供給量が通常時よりも多い前記前洗浄モードを実行する。
【００１５】
この構成によれば、前洗浄モードにおいて洗浄水の供給量を通常時よりも多くすることで第一洗浄モードの役割の一部を果たすことができるため、使用者が放尿している状態で第一洗浄モードを実施する場合に比べて、滞留事象による排水横枝管の尿石発生を抑制することができる。
【発明の効果】
【００１６】
本発明の小便器によれば、滞留事象による横引配管内の尿石発生を抑制することができる。
【図面の簡単な説明】
【００１７】
【図１】本発明の実施形態による小便器を示す概略断面図である。
【図２】本発明の実施形態による小便器の上部の収納室内部を上面から見た概略上面図である。
【図３】本発明の実施形態による小便器の自動便器洗浄ユニットの内部構造を概略的に示すブロック図である。
【図４】本発明の実施形態による小便器の洗浄動作の第１例を示すタイムチャートである。
【図５】本発明の実施形態による小便器の洗浄動作の第２例を示すタイムチャートである。
【図６】本発明の実施形態による小便器の本洗浄モードＭ０において、洗浄水及び尿が小便器から器具排水管及び排水横枝管内に流れる様子を概略的に示す図である。
【図７】本発明の実施形態による小便器の第一洗浄モードＭ１において、洗浄水が小便器から器具排水管及び排水横枝管内に流れる様子を概略的に示す図である。
【図８】本発明の実施形態による小便器の第二洗浄モードＭ２において、洗浄水が小便器から器具排水管及び排水横枝管内に流れる様子を概略的に示す図である。
【図９】図９（ａ）本発明の実施形態による小便器の下流側に延びる排水横枝管において、本洗浄モードＭ０が実行された場合に尿及び洗浄水が排水横枝管内を流れる様子を示す図である。図９（ｂ）本発明の実施形態による小便器の下流側に延びる排水横枝管において、第一洗浄モードＭ１が実行された場合に尿混じり洗浄水及び洗浄水が排水横枝管内を流れる様子を示す図である。図９（ｃ）本発明の実施形態による小便器の下流側に延びる排水横枝管において、第二洗浄モードＭ２が実行された場合に洗浄水が排水横枝管内を流れる様子を示す図である。
【図１０】本発明の実施形態による小便器の洗浄動作の第３例を示すタイムチャートである。
【図１１】本発明の変形例による小便器の洗浄動作の一例を示すタイムチャートである。
【発明を実施するための形態】
【００１８】
添付図面を参照して、本発明の実施形態による小便器を説明する。先ず、図１及び図２により小便器の基本構造を説明する。図１は本発明の実施形態による小便器を示す概略断面図であり、図２は本発明の実施形態による小便器の上部の収納室内部を上面から見た概略上面図である。
【００１９】
図１、符号１は、本発明の実施形態による小便器を示し、小便器１は、建物、例えばトイレの壁面２の表側に複数個並んで設置され又は単独で配置されている。小便器１の壁面２側の下部から建築物の壁面２を通って壁面２の裏側に延びる器具排水管４が、この小便器１の設置された壁面２の裏側下方において、わずかに下り傾斜しながら横向きに延びる排水用の排水横枝管６と接続されている。排水横枝管６は、水平方向よりも傾斜が付けられて配置されており、この傾斜の上り側を上流側、この傾斜の下り側を下流側として説明する。この排水横枝管６は、下流側において、縦排水管（図示せず）に接続されている。それぞれの小便器１は、自身を洗浄した洗浄水（給水される上水のみの状態及び/又は上水が尿混じりの洗浄水となって排水される状態を含む）を、壁面２の裏側に延びる器具排水管４を通して、排水横枝管６に排水するようになっている。なお本件発明は上記壁排水小便器に限定されるわけではなく、床に器具排水管や排水横枝管に設置される床排水小便器にも適用することができる。
【００２０】
図１及び図２に示すように、この小便器１は、陶器製の小便器本体８と、この小便器本体８を洗浄するための自動便器洗浄ユニット１０を備えている。小便器１は背後の壁面２に沿って取付けられる壁掛け式の小便器であるが、小便器１は床面上に直接配置される床置き式の小便器であってもよい。また、小便器１は、例えば、洗浄時に０．５Ｌ〜２．０Ｌ（好ましくは、０．８Ｌ〜１．０Ｌ）の洗浄水量で洗浄する節水型の小便器であってもよい。以下、小便器１の正面側を前方側、その背面側を後方側（奥側）、小便器１の正面から見て左側を左側、小便器１の正面から見て右側を右側として説明する。
【００２１】
小便器１の小便器本体８は、上方端に自動便器洗浄ユニット１０を収納するための収納室１２と、この収納室１２の前面１４から下方に延びるボウル面を形成するボウル部１６と、このボウル部１６の底部に形成された排水口部１８と、排水口部１８の下流側において溜水Ｗを貯溜して封水を形成するトラップ部２０と、 このトラップ部２０の下流側の排水器具接続部２２とを備えている。
小便器本体８の排水器具接続部２２には、排水ソケット２４が接続され、排水ソケット２４には、排水用の器具排水管４が接続され、器具排水管４が壁面２の表側から裏側まで延びて排水横枝管６に接続されている。
【００２２】
次に、図２及び図３に示す自動便器洗浄ユニット１０について説明する。
図３は本発明の実施形態による小便器の自動便器洗浄ユニットの概略構成を示す図である。
収納室１２は、小便器本体８と別体である蓋２３により形成されている。また、収納室１２の前面１４は、後方に向かって傾斜して形成されている。収納室１２に収納される自動便器洗浄ユニット１０は、水道等の給水源から洗浄水を供給する給水管２６と、給水管２６に設けられる止水弁２８と、止水弁２８の下流側に設けられたバルブユニット３０と、バルブユニット３０から供給される洗浄水をボウル部１６に吐水する吐水部であるスプレッダ（給水手段）３２とを備えている。
【００２３】
バルブユニット３０は、給水管２６を主給水流路３６と電解水流路４２とに分岐する分岐部３４と、主給水流路３６に設けられる定流量弁３８と、定流量弁３８の下流側に設けられて主給水の供給及び停止を行う主給水流路電磁弁４０と、電解水流路４２に設けられる定流量弁４４と、定流量弁４４の下流側に設けられて電解水を含む給水の供給及び停止を行う電解水流路電磁弁４６と、電解水流路電磁弁４６の下流側に設けられる逆止弁４８と、電解水（除菌水）を注入する電解水注入ユニット５０とを備えている。また、スプレッダ３２には、ボウル部１６の前面に向けられ、使用者の有無を検知する人体検知センサ（検知手段）５２が取付けられている。ここで、電解水注入ユニット５０は、電解水注入ユニット５０中の電解槽において洗浄水中の塩化物イオンから次亜塩素酸を生成して電解水（除菌水）を生成できる機構を有し、この生成した電解水（除菌水）を洗浄水に注入することができる。電解水（除菌水）とは、洗浄水中の塩化物イオンから次亜塩素酸を生成した成分を含む水であり、尿石菌、バクテリア等の殺菌消毒効果及び増殖抑制効果を有している。
【００２４】
自動便器洗浄ユニット１０は、さらに、人体検知センサ５２からの検知信号及び所定の制御プログラム等に基づいて主給水流路電磁弁４０等を制御することができる制御ユニット５４（制御手段）を備えている。
具体的には、制御ユニット５４は、人体検知センサ５２からの検知信号及び所定の制御プログラム等に基づいて、主給水流路電磁弁４０を開閉制御し、洗浄水をスプレッダ３２からボウル部１６に吐水させるようになっている。スプレッダ３２から吐水される洗浄水の給水流量は、主給水流路電磁弁４０を開弁している時間により決定される。
【００２５】
次に、ボウル部１６は、水平方向においてその上部が比較的大きな曲率半径を有する円弧面を形成し、その下部が比較的小さな曲率半径を有する円弧面を形成している。スプレッダ３２は、このボウル部１６の左右中心軸線上の中央より上方の高さ位置に設けられている。
排水口部１８には、上流側のその入口部１８ａにおいて目皿５８が配置されている。さらに、排水口部１８には、下流側のその出口部１８ｂにおいてトラップ部２０の入口を構成する排水口６０が形成されている。
【００２６】
トラップ部２０の下流側には、排水器具接続部２２が設けられ、排水器具接続部２２に排水ソケット２４が接続されるようになっているが、排水ソケット２４を省略し、排水器具接続部２２に器具排水管４を接続することもできる。
【００２７】
次に、図４乃至図９により、本発明の実施形態による動作（作用）について説明する。
図４は本発明の実施形態による小便器の洗浄動作の第１例を示すタイムチャートであり、図５は本発明の実施形態による小便器の洗浄動作の第２例を示すタイムチャートであり、図６は本発明の実施形態による小便器の本洗浄モードＭ０において、洗浄水及び尿が小便器本体から器具排水管及び排水横枝管内に流れる様子を概略的に示す図であり、図７は本発明の実施形態による小便器の第一洗浄モードＭ１において、洗浄水が小便器本体から器具排水管及び排水横枝管内に流れる様子を概略的に示す図であり、図８は本発明の実施形態による小便器の第二洗浄モードＭ２において、洗浄水が小便器本体から器具排水管及び排水横枝管内に流れる様子を概略的に示す図であり、図９（ａ）は本発明の実施形態による小便器の下流側に延びる排水横枝管において、本洗浄モードＭ０が実行された場合に尿及び洗浄水が排水横枝管内を流れる様子を示す図であり、図９（ｂ）は本発明の実施形態による小便器の下流側に延びる排水横枝管において、第一洗浄モードＭ１が実行された場合に尿混じり洗浄水及び洗浄水が排水横枝管内を流れる様子を示す図であり、図９（ｃ）は本発明の実施形態による小便器の下流側に延びる排水横枝管において、第二洗浄モードＭ２が実行された場合に洗浄水が排水横枝管内を流れる様子を示す図である。
図４及び図５において、横軸は時刻を表し、縦軸方向の上段において、人体検知センサ５２が使用者を検知していない状態であるＯＦＦ状態と使用者を検知している状態であるＯＮ状態との変化を示し、縦軸方向の下段において、主給水流路電磁弁４０が閉弁されて洗浄水がスプレッダ３２から吐水されていない状態であるＯＦＦ状態と主給水流路電磁弁４０が開弁されて洗浄水がスプレッダ３２から吐水されている状態であるＯＮ状態との変化を示している。
【００２８】
先ず、本発明の実施形態による小便器の洗浄動作の第１例について説明する。
図４に示すように、待機状態（時刻ｔ０〜ｔ１）において、通常、使用者が小便器１の前に立つとき（時刻ｔ１）、人体検知センサ５２が使用者の存在を検出して検出情報を制御ユニット５４に送り、制御ユニット５４は使用者の存在を認識する。使用者が放尿する前の待機状態においてはトラップ部２０内には主に洗浄水が溜水Ｗとして存在している状態になっている。
使用者が小便器１のボウル部１６に放尿を行うとき（時刻ｔ１〜ｔ２）、ボウル部１６の底部１６ａからトラップ部２０内に尿が流れ込み、流れ込んだ尿によってもともと存在した溜水Ｗの大部分が排出される（置換される）。尿がトラップ部２０内に流れ込んだ直後は尿自身もトラップ部２０の下流側の器具排水管４及び排水横枝管６に流れ出している状態となる。トラップ部２０内には尿と水とが混ざり合った尿濃度の非常に高い液体が存在する又はほぼ尿がそのまま存在する新たな溜水Ｗとして存在する状態となる。このトラップ部２０内に存在する尿と水とが混ざり合った尿濃度の非常に高い液体又は尿そのものを、以下尿Ｕとして説明する。
【００２９】
使用者が小便器１のボウル部１６に放尿を終え、放尿を済ませた使用者が小便器１の前から立ち去るときに、人体検知センサ５２が使用者の存在を検出しなくなる状態に変化する（時刻ｔ２）。人体検知センサ５２が一定時間以上の間検出状態を継続した後に、人体検知センサ５２が非検出状態に変わると、制御ユニット５４は使用者が小便器１から立ち去ったと認識して、本洗浄モードＭ０を開始し、小便洗浄動作を開始する（時刻ｔ２）。
【００３０】
本洗浄モードＭ０においては、使用者の尿を受けたボウル部１６を洗浄し且つトラップ部２０内の尿を排出する。
具体的には、制御ユニット５４は、主給水流路電磁弁４０に制御信号を送って主給水流路電磁弁４０を開き、先に決定した量の洗浄水Ｗｆをスプレッダ３２からボウル部１６に吐水させる。吐水される洗浄水の量は単位時間あたりほぼ一定の瞬間流量（例えば、９Ｌ／ｍｉｎ）に設定されている。この洗浄水Ｗｆは、ボウル部１６を流下して、排水口部１８に到達する。この流下する洗浄水Ｗｆは、トラップ部２０を通過する際に流路抵抗を受けるため、トラップ部２０の入口近傍に一時的に貯まるような状態となり、この一時的に溜まった洗浄水の水頭高さ（通常の溜水面からの水頭高さ）が、トラップ部２０から排水される洗浄水に圧力を及ぼし、洗浄水の瞬間流量を変化させることとなる。図６に示すように、洗浄水Ｗｆは、トラップ部２０内に存在する尿Ｕを押し出すようにしながら、尿Ｕとともに下流側に流れる。スプレッダ３２から吐水される洗浄水Ｗｆの水量又は瞬間流量、前記水頭高さ等から、洗浄水Ｗｆ及び尿Ｕが、トラップ部２０から下流側に排出される排出水量又は排出瞬間流量の値が決定される。例えば、トラップ部２０から下流側に排出される排出瞬間流量の値は７Ｌ／ｍｉｎとなっている。
【００３１】
図６（ａ）乃至（ｄ）に示すように、洗浄水Ｗｆ及び尿Ｕは、トラップ部２０から排水器具接続部２２及び排水ソケット２４を介して器具排水管４に排水される。洗浄水Ｗｆ及び尿Ｕは、矢印Ｂに示すように、器具排水管４に沿って小便器後方に流れ、排水横枝管６との接続部５６に到達する。
図６（ａ）に示すように、本洗浄モードにおいてトラップ部２０から器具排水管４に排水される洗浄水は、主に、新たに流入する洗浄水Ｗｆが、トラップ部２０内の尿Ｕを押し流すように流れる。この流れが器具排水管４から接続部５６に到達するとき、流れが比較的速い流れであるので、尿Ｕが排水横枝管６の上流側Ｆの上流側領域６ｄにおける部分と下流側Ｅの下流側領域６ｅにおける部分とに分かれるように押し出される。
図６（ｂ）に示すように、さらに後続の洗浄水Ｗｆが流入すると、尿Ｕが上流側の尿Ｕｆと下流側の尿Ｕｅとに分断される。
引き続いて、図６（ｃ）に示すように、洗浄水Ｗｆの供給が終了すると（時刻ｔ３）、洗浄水Ｗｆは下流側の尿Ｕｅとともに下流側に流下していく。このとき、上流側Ｆの方向に逆流した尿Ｕｆが洗浄水Ｗｆとともに流れることなく取り残された状態となる。図６（ｄ）に示すように、本洗浄モード終了後においては、このように取り残された尿Ｕｆが、排水横枝管６内の内壁に付着して残存した状態の尿Ｕｆ０となる。
【００３２】
また、本洗浄モードＭ０の排水の最中において、本洗浄モードＭ０の洗浄水量及び排出瞬間流量は、毎回ほぼ一定に設定されていることから、図９（ａ）に示すように、排水時の排水横枝管６内の最高高さ位置の喫水面（水面）ＷＬ０の高さは毎回ほぼ一定にされている。よって、排水横枝管６内の内側壁面６ａと、高さＷＬ０の高さ位置の尿Ｕ（及び/又は洗浄水Ｗｆ）の水面とが接する境界部６ｂ上にバクテリアが増殖しやすく、尿石６ｃの付着（発生）が生じやすくなる。
【００３３】
本洗浄モードＭ０においては、制御ユニット５４は、所定時間（時刻ｔ２〜ｔ３の間）にわたって主給水流路電磁弁４０を開弁し、例えば約０．８Ｌの洗浄水Ｗｆをスプレッダ３２から吐水させるようになっている。このとき、本洗浄モードＭ０におけるトラップ部２０から下流側に排出される洗浄水量は０．８Ｌとなる。制御ユニット５４は、所定時間経過後、主給水流路電磁弁４０を閉弁し、本洗浄モードを終了させる（時刻ｔ３）。
【００３４】
次に、制御ユニット５４は、本洗浄モードＭ０が終了（時刻ｔ３）してから、例えば約２０秒の所定時間（時刻ｔ３〜ｔ４の間）経過後に、第一洗浄モードＭ１を開始させる。
第一洗浄モードＭ１は、本洗浄モードＭ０が実行された後、排水横枝管６内を器具排水管４が接続された接続部５６より上流側まで洗浄するようになっている。
具体的には、制御ユニット５４は、主給水流路電磁弁４０に制御信号を送って主給水流路電磁弁４０を開き、先に決定した量の洗浄水Ｗｆをスプレッダ３２からボウル部１６に吐水させる。なお、第一洗浄モードＭ１の吐水開始直前においては、トラップ部２０内には主に本洗浄モードＭ０において供給された洗浄水Ｗｆが溜水Ｗとして存在している状態になっている。トラップ部２０内の溜水Ｗにおける尿濃度は本洗浄モードＭ０の開始前と比べて相当低下された状態となっている。
【００３５】
第一洗浄モードＭ１において、洗浄水Ｗｆは、ボウル部１６を流下して、排水口部１８に到達する。この流下する洗浄水Ｗｆは、トラップ部２０を通過する際に流路抵抗を受けるため、トラップ部２０の入口の排水口６０近傍に水頭高さＨ１まで一時的に貯まるような状態となり、この一時的に溜まった洗浄水の通常の溜水面からの水頭高さＨ１が、トラップ部２０から排水される洗浄水に圧力を及ぼすこととなる。このように水頭高さは供給瞬間流量がほぼ一定の場合であっても供給水量等によって変化することとなる。洗浄水Ｗｆは、トラップ部２０内に存在する尿Ｕを押し出すようにしながら、尿Ｕとともに下流側に流れる。スプレッダ３２から吐水される洗浄水Ｗｆの水量又は瞬間流量、前記水頭高さ等から、洗浄水Ｗｆ及び尿Ｕが、トラップ部２０から下流側に排出される排出水量又は排出瞬間流量の値が決定される。
第一洗浄モードＭ１において、トラップ部２０の入口近傍における洗浄水の水頭高さはＨ１となり、これに対応する、トラップ部２０から下流側に排出される洗浄水の排出瞬間流量はＦ１となっている。例えば、トラップ部２０から下流側に排出される排出瞬間流量Ｆ１の値は７〜８Ｌ／ｍｉｎとなっている。
【００３６】
図７（ａ）乃至（ｃ）に示すように、洗浄水Ｗｆは、矢印Ｂに示すように、トラップ部２０から器具排水管４に沿って小便器後方に流れ、排水横枝管６との接続部５６に到達する。
図７（ａ）に示すように、第一洗浄モードＭ１においてトラップ部２０から器具排水管４に排水される洗浄水は、主に、新たに流入する洗浄水Ｗｆが、トラップ部２０内の主に本洗浄モードＭ０において供給された洗浄水Ｗｆを押し流すように流れる。この洗浄水Ｗｆの流れが器具排水管４から接続部５６に到達するとき、流れが比較的速い流れであるので、洗浄水Ｗｆが排水横枝管６の上流側Ｆと下流側Ｅとに分かれるように広がる。洗浄水Ｗｆのうち上流側Ｆに向かう部分が付着した状態の尿Ｕｆ０の上流側を覆うように逆流する（上流側に遡り流れる）。従って、洗浄水Ｗｆが、接続部よりも上流側Ｆに存在する付着した状態の尿Ｕｆ０についても、洗浄することができる。
図７（ｂ）に示すように、第一洗浄モードＭ１において、洗浄水Ｗｆが排水横枝管６の上流側Ｆにおいて到達する最高到達点Ｔ１は、本洗浄モードＭ０において、尿Ｕｆ（又は洗浄水Ｗｆ）が排水横枝管６の上流側Ｆにおいて到達する最高到達点Ｔ０よりも上流側に位置している。
洗浄水Ｗｆの供給が終了すると（時刻ｔ５）、洗浄水Ｗｆは尿Ｕｆ０とともに下流側に流下していく。このとき、上流側Ｆの方向に逆流した洗浄水Ｗｆ及び尿Ｕｆ０のうち一部の尿混じり水Ｕｆ１が、洗浄水Ｗｆとともに流れることなく取り残された状態となる場合がある。よって、図７（ｃ）に示すように、第一洗浄モードＭ１終了後においては、このように取り残された比較的低濃度の尿混じり水Ｕｆ１が、排水横枝管６内の内壁に付着して残存した状態となる。
【００３７】
また、第一洗浄モードＭ１の排水の最中において、第一洗浄モードＭ１におけるトラップ部２０から下流側に排出される排出水量又は排出瞬間流量の値が、本洗浄モードＭ０におけるトラップ部２０から下流側に排出される排出水量又は排出瞬間流量の値以上の値となるように設定されている。従って、図９（ｂ）に示すように、第一洗浄モードＭ１における排水時の排水横枝管６内の最高高さ位置の喫水面（水面）ＷＬ１は、本洗浄モードＭ０における排水時の排水横枝管６内の最高高さ位置の喫水面（水面）ＷＬ０よりも高い位置に上昇している。よって、通常の本洗浄モードＭ０において比較的尿石６ｃが生じやすい境界部６ｂ上の部分を、境界部６ｂ以上の最高高さ位置の喫水面ＷＬ１まで到達する洗浄水により洗浄することができ、境界部６ｂ上のバクテリアの増殖を抑制し、尿石６ｃの付着（発生）を抑制することができる。なお、第一洗浄モードＭ１における喫水面ＷＬ１が境界部６ｂの喫水面ＷＬ０と同じ高さであったとしても、比較的きれいな洗浄水により、境界部６ｂを洗浄することができるため、境界部６ｂ上のバクテリアの増殖を抑制し、尿石６ｃの付着（発生）を抑制することができる。
また、第一洗浄モードＭ１において、排水横枝管６内を流れる洗浄水Ｗｆ及び尿混じり水Ｕｆ１の尿濃度は、本洗浄モードＭ０において排水横枝管６内を流れる尿Ｕ及び洗浄水Ｗｆの尿濃度よりも低減されている。従って、第一洗浄モードＭ１においては、比較的きれいな洗浄水により、境界部６ｂを洗浄することができる。
【００３８】
第一洗浄モードＭ１においては、制御ユニット５４は、所定時間（時刻ｔ４〜ｔ５の間）にわたって主給水流路電磁弁４０を開弁し、例えば約１．０Ｌの洗浄水Ｗｆをスプレッダ３２から吐水させるようになっている。このとき、第一洗浄モードＭ１におけるトラップ部２０から下流側に排出される洗浄水量は１．０Ｌとなる。制御ユニット５４は、所定時間経過後、主給水流路電磁弁４０を閉弁し、第一洗浄モードＭ１を終了させる（時刻ｔ５）。
【００３９】
次に、制御ユニット５４は、第一洗浄モードＭ１が終了（時刻ｔ５）してから、例えば約２０秒の所定時間（時刻ｔ５〜ｔ６の間）経過後に、第二洗浄モードＭ２を開始させる（時刻ｔ６）。すなわち、第二洗浄モードＭ２は、第一洗浄モードＭ１が実行された後から、第一洗浄モードＭ１により接続部５６よりも上流側Ｆの上流側領域６ｄを洗浄した洗浄水が概ね接続部５６よりも下流側Ｅに流下すると想定される所定時間を経過した後、再び、接続部５６よりも上流側の上流側領域６ｄを洗浄するように開始される。
具体的には、制御ユニット５４は、主給水流路電磁弁４０に制御信号を送って主給水流路電磁弁４０を開き、第二洗浄モードＭ２の先に決定した量の洗浄水Ｗｆをスプレッダ３２からボウル部１６に吐水させる。なお、第二洗浄モードＭ２の吐水開始直前においては、トラップ部２０内には主に第一洗浄モードＭ１において供給された洗浄水Ｗｆが溜水Ｗとして存在している状態になっている。トラップ部２０内の溜水Ｗにおける尿濃度は第一洗浄モードＭ１の開始前と比べて低下された状態となっている。
【００４０】
第二洗浄モードＭ２において、洗浄水Ｗｆは、ボウル部１６を流下して、排水口部１８に到達する。この流下する洗浄水Ｗｆは、トラップ部２０を通過する際に流路抵抗を受けるため、トラップ部２０の入口の排水口６０近傍に一時的に貯まるような状態となり、この一時的に溜まった洗浄水の水頭高さＨ２（通常時の溜水Ｗの面からの高さ）が、トラップ部２０から排水される洗浄水に圧力を及ぼし、洗浄水の瞬間流量を変化させることとなる。洗浄水Ｗｆは、トラップ部２０内に存在する洗浄水Ｗｆを押し出すようにしながら、洗浄水Ｗｆとともに下流側に流れる。スプレッダ３２から吐水される洗浄水Ｗｆの水量又は瞬間流量、前記水頭高さ等から、洗浄水Ｗｆが、トラップ部２０から下流側に排出される排出水量又は排出瞬間流量の値が決定される。
第二洗浄モードＭ２において、ボウル部１６の底部における洗浄水の水頭高さはＨ２であり、これに対応する、トラップ部２０から下流側に排出される排出瞬間流量はＦ２となっている。例えば、トラップ部２０から下流側に排出される排出瞬間流量Ｆ２の値は７〜９Ｌ／ｍｉｎとなっている。
【００４１】
図８（ａ）乃至図８（ｃ）に示すように、洗浄水Ｗｆは、矢印Ｂに示すように、トラップ部２０から器具排水管４に沿って小便器後方に流れ、排水横枝管６との接続部５６に到達する。
図８（ａ）に示すように、第二洗浄モードＭ２においてトラップ部２０から器具排水管４に排水される洗浄水は、主に、新たに流入する洗浄水Ｗｆが、トラップ部２０内の主に第一洗浄モードＭ１において供給された洗浄水Ｗｆを押し流すように流れる。この洗浄水Ｗｆの流れが器具排水管４から接続部５６に到達するとき、流れが比較的速い流れであるので、洗浄水Ｗｆが排水横枝管６の上流側Ｆの上流側領域６ｄにおける部分と下流側Ｅの下流側領域６ｅにおける部分とに分かれるように広がる。洗浄水Ｗｆのうち上流側Ｆに向かう部分が付着した状態の尿混じり水Ｕｆ１の上流側を覆うように逆流（上流側に遡り）する。従って、洗浄水Ｗｆが、接続部よりも上流側Ｆに存在する付着した状態の尿混じり水Ｕｆ１についても、洗浄することができる。
第二洗浄モードＭ２において、洗浄水Ｗｆが排水横枝管６の上流側Ｆにおいて到達する最高到達点Ｔ２は、第一洗浄モードＭ１において、洗浄水Ｗｆが排水横枝管６の上流側Ｆの上流側領域６ｄにおいて到達する最高到達点Ｔ１よりも上流側に位置している。
図８（ｂ）に示すように、洗浄水Ｗｆの供給が終了すると（時刻ｔ７）、洗浄水Ｗｆは尿混じり水Ｕｆ１とともに下流側に流下していく。このとき、接続部５６より上流側Ｆの領域において尿混じり水Ｕｆ１は取り残されていない状態であり、仮に水分が残っている状態であっても、尿の成分濃度が２回の洗浄によって相当低下された状態の洗浄水に起因する水分が残る状態であると考えられるから、排水横枝管６内への尿石の付着を抑制することができる。
よって、図８（ｃ）に示すように、第二洗浄モードＭ２終了後においては、洗浄水Ｗｆが尿混じり水Ｕｆ１とともに排水され、排水横枝管６は、尿の残存が抑制されるようにきれいに洗浄された状態となる。
【００４２】
また、第二洗浄モードＭ２の排水の最中において、第二洗浄モードＭ２におけるトラップ部２０から下流側に排出される排出水量又は排出瞬間流量の値が、第一洗浄モードＭ１におけるトラップ部２０から下流側に排出される排出水量又は排出瞬間流量の値以上の値となるように設定されている。従って、図９（ｃ）に示すように、第二洗浄モードＭ２における排水時の排水横枝管６内の水面（喫水面）の喫水面ＷＬ２は、第一洗浄モードＭ１における排水時の排水横枝管６内の水面（喫水面）の喫水面ＷＬ１よりも高い位置に上昇している。よって、通常の本洗浄モードＭ０において比較的尿石６ｃが生じやすい境界部６ｂ上の部分を、境界部６ｂより上方の最高高さ位置の喫水面ＷＬ２まで到達する洗浄水により洗浄することができ、境界部６ｂ上のバクテリアの増殖を抑制し、尿石６ｃの付着（発生）を抑制することができる。また、第二洗浄モードＭ２において、排水横枝管６内を流れる洗浄水Ｗｆの尿濃度は、本洗浄モードＭ０において排水横枝管６内を流れる尿Ｕ及び洗浄水Ｗｆの尿濃度よりも低減され、さらに、第一洗浄モードＭ１において排水横枝管６内を流れる尿Ｕｆ１及び洗浄水Ｗｆの尿濃度よりも低減されている。従って、第二洗浄モードＭ２においては、比較的きれいな洗浄水により、境界部６ｂを洗浄することができる。
【００４３】
第二洗浄モードＭ２においては、制御ユニット５４は、第一洗浄モードＭ１の主給水流路電磁弁４０を開弁した所定時間よりも長い所定時間（時刻ｔ６〜ｔ７の間）にわたって主給水流路電磁弁４０を開弁し、例えば約１．２Ｌの洗浄水Ｗｆをスプレッダ３２から吐水させるようになっている。このとき、第二洗浄モードＭ２におけるトラップ部２０から下流側に排出される洗浄水量は１．２Ｌとなる。制御ユニット５４は、所定時間経過後、主給水流路電磁弁４０を閉弁し、第二洗浄モードＭ２を終了させる（時刻ｔ７）。
【００４４】
なお、制御ユニット５４は、例えば、第二洗浄モードＭ２が終了した後に、必要に応じて、電解水流路電磁弁４６を開弁し、電解水（例えば次亜塩素酸を含む除菌水）の注入された洗浄水をスプレッダ３２からボウル部１６に吐水させる電解水洗浄モードＤを実行することができる。排水横枝管６内が洗浄された後に電解水を流すことで、トラップ部２０及び排水横枝管６内を殺菌消毒することができ、トラップ部２０及び排水横枝管６内に残存する水分中における尿石菌等の繁殖を抑制し、長期間にわたり尿石の付着（発生）を抑制することができる。また、電解水（例えば次亜塩素酸を含む除菌水）の注入された洗浄水を注入する時期は第一洗浄モードＭ１の実行時、若しくは第二洗浄モードＭ２の実行時又は第一洗浄モードＭ１及び第二洗浄モードＭ２の両方の実行時であってもよい。
【００４５】
第二洗浄モードＭ２が終了した後、制御ユニット５４は、さらに一定の所定時間が経過するまでの間、例えば約２時間の所定時間が経過するまでの間、設備洗浄待機状態を継続し、この一定の所定時間が経過した場合、制御ユニット５４は、再び第一洗浄モードＭ１を開始させる。このように第二洗浄モードＭ２の終了から所定期間を経過する毎に、第一洗浄モードＭ１及び第二洗浄モードＭ２をさらに繰り返し行うことで、排水横枝管６内の尿石の付着（発生）を抑制することができる。
【００４６】
次に、制御ユニット５４は、上述のように、再び第一洗浄モードＭ１を開始させる（時刻ｔ８）。この第一洗浄モードＭ１における洗浄動作については、前述の第一洗浄モードＭ１における洗浄動作と同様であるので説明を省略する。
第一洗浄モードＭ１において、洗浄水が、排水横枝管６内の上流側領域６ｄ、及び下流側領域６ｅを洗浄することができ、バクテリアの増殖を抑制し、尿石６ｃの付着（発生）を抑制することができる。
また、第一洗浄モードＭ１において、洗浄水が、排水横枝管６内の境界部６ｂ以上の最高高さ位置まで到達する喫水面ＷＬ１により洗浄することができ、境界部６ｂ上のバクテリアの増殖を抑制し、尿石６ｃの付着（発生）を抑制することができる。
【００４７】
次に、制御ユニット５４は、第一洗浄モードＭ１が終了（時刻ｔ９）してから、例えば約２０秒の所定時間（時刻ｔ９〜ｔ１０の間）経過後に、さらに、第二洗浄モードＭ２を開始させる（時刻ｔ１０）。この第二洗浄モードＭ２における洗浄動作については、前述の第二洗浄モードＭ２における洗浄動作と同様であるので説明を省略する。
第二洗浄モードＭ２において、洗浄水が、排水横枝管６内の上流側領域６ｄ、及び下流側領域６ｅをより効果的に洗浄することができ、バクテリアの増殖を抑制し、尿石６ｃの付着（発生）を抑制することができる。
また、第二洗浄モードＭ２において、洗浄水が、排水横枝管６内の境界部６ｂ以上の最高高さ位置の喫水面ＷＬ２まで到達する洗浄水により洗浄することができ、境界部６ｂ上のバクテリアの増殖を抑制し、尿石６ｃの付着（発生）を抑制することができる。
【００４８】
以降、この第二洗浄モードＭ２が終了した後、設備洗浄待機状態を継続し、さらに一定の所定時間が経過した場合、例えば約２時間の所定時間が経過した場合、制御ユニット５４は、再び第一洗浄モードＭ１及び第二洗浄モードＭ２をさらに繰り返し行うように制御することができる。別の言い方によれば、制御ユニット５４は、本洗浄モードＭ０の終了後に、第一洗浄モードＭ１及び第二洗浄モードＭ２の組を、所定時間おきに繰り返し実行するように制御することができる。
【００４９】
続いて、図１０を参照しながら、使用者の入れ替わりが早かった場合の小便器１の洗浄動作について説明する。図１０は、本発明の実施形態による小便器の洗浄動作の第３例を示すタイムチャートである。
【００５０】
図１０に示すように、時刻ｔ２において、制御ユニット５４は、使用者が小便器１から立ち去ったと認識したときに本洗浄モードＭ０を開始し、小便洗浄動作を開始する。そして、本来であれば、この本洗浄モードＭ０が時刻ｔ３で終了してから、約２０秒の所定時間が経過後に第一洗浄モードＭ１を開始させるが、ここでは時刻ｔ３から約２０秒の所定時間が経過する前に新たな使用者の存在を認識している（時刻ｔ４）。
この時刻ｔ４において、制御ユニット５４は、予定されていた第一洗浄モードＭ１および第二洗浄モードＭ２の実行をキャンセルすると共に、ボウル部１６への洗浄水の供給を強制的に開始する強制開始モードＭ３を実行する。この強制開始モードＭ３は、時刻ｔ４から時刻ｔ５にかけて実行される。
【００５１】
また、時刻ｔ６において、制御ユニット５４は、使用者が小便器１から立ち去ったと認識したときに本洗浄モードＭ０を開始し、小便洗浄動作を開始する。時刻ｔ６から時刻ｔ７にかけて本洗浄モードＭ０を実行し、この本洗浄モードＭ０が時刻ｔ７で終了してから、約２０秒の所定時間が経過後に第一洗浄モードＭ１を開始させる（時刻ｔ８）。この第一洗浄モードＭ１は、時刻ｔ８から時刻ｔ９にかけて実行される。
そして、本来であれば、この第一洗浄モードＭ１が時刻ｔ９で終了してから、約２０秒の所定時間が経過後に第二洗浄モードＭ２を開始させるが、ここでは時刻ｔ９から約２０秒の所定時間が経過する前に新たな使用者の存在を認識している（時刻ｔ１０）。
この時刻ｔ１０において、制御ユニット５４は、予定されていた第二洗浄モードＭ２の実行をキャンセルすると共に、ボウル部１６への洗浄水の供給を強制的に開始する強制開始モードＭ３を実行する。この強制開始モードＭ３は、時刻ｔ１０から時刻ｔ１１にかけて実行される。
【００５２】
つぎに、上述した本発明の実施形態による小便器１における作用効果について説明する。
本発明の実施形態による小便器１において、図１０で示したように、制御ユニット５４は、本洗浄モードＭ０を実行してから第一洗浄モードＭ１もしくは第二洗浄モードＭ２を実行するまでに人体検知センサ５２が使用者の接近を検知したとき、予定されていた第一洗浄モードおよび第二洗浄モードの実行をキャンセルすると共にボウル部１６への洗浄水の供給を強制的に開始する強制開始モードＭ３を有する。これにより、使用者は小便器に接近してから放尿を開始するまでに所定の準備時間を必要とするため、強制開始モードＭ３において器具配水管４および排水横枝管６に流れ込む小便器１からの排水は、ほとんど尿が含まれていない比較的きれいな水である。したがって、強制開始モードＭ３の実行により、使用者が放尿している状態で第一洗浄モードＭ１および第二洗浄モードＭ２を実施する場合に比べて、滞留事象による排水横枝管６の尿石発生を抑制することができる。
【００５３】
なお、上述した実施形態においては、本洗浄モードＭ０を実行してから第一洗浄モードＭ１もしくは第二洗浄モードＭ２を実行するまでに使用者の接近を検知する度に強制開始モードＭ３を実行することとしたが、本発明はこれに限らず、例えば小便器１を使用した使用者数をカウントし、そのカウントが所定人数を超えた状態において強制開始モードＭ３を実行する条件を満たしたときに、強制開始モードＭ３を実行することとしてもよい。
【００５４】
また、上述した実施形態においては、第一洗浄モードＭ１の実行を終了してから約２０秒の所定時間経過後に第二洗浄モードＭ２を実行することとしたが、本発明はこれに限らず、第二洗浄モードＭ２を実行しなくてもよい。
【００５５】
続いて、図１１を参照しながら、本発明の変形例による小便器の洗浄動作について説明する。図１１は、本発明の変形例による小便器の洗浄動作の一例を示すタイムチャートである。
【００５６】
本発明の変形例による小便器１００は、上述した本発明の実施形態による小便器１に対して、本洗浄モードＭ０、第一洗浄モードＭ１、第二洗浄モードＭ２を有する点については同様であるが、前洗浄モードＮ０を有する点について異なる。
図１１に示すように、小便器１００の制御ユニット１５４は、時刻ｔ１において使用者が小便器１００に接近したことを認識すると、小便器１００のボウル部１１６に洗浄水を供給する前洗浄モードＮ０を実行する。この前洗浄モードＮ０を実行することにより、ボウル部１１６の表面が洗浄水によって濡れるため、尿がボウル部１１６の表面に直接付着することを抑制することができる。この前洗浄モードＮ０は、時刻ｔ１から時刻ｔ２にかけて実行される。
【００５７】
時刻ｔ３において、制御ユニット１５４は、使用者が小便器１から立ち去ったと認識したときに本洗浄モードＭ０を開始し、小便洗浄動作を開始する。そして、本来であれば、この本洗浄モードＭ０が時刻ｔ４で終了してから、約２０秒の所定時間が経過後に第一洗浄モードＭ１を開始させるが、ここでは時刻ｔ３から約２０秒の所定時間が経過する前に新たな使用者の存在を認識している（時刻ｔ５）。
この時刻ｔ４において、制御ユニット１５４は、予定されていた第一洗浄モードＭ１および第二洗浄モードＭ２の実行をキャンセルすると共に、前洗浄モードＮ０を実行する。この前洗浄モードＮ０は、時刻ｔ４から時刻ｔ５にかけて実行されるが、ここで実行する前洗浄モードＮ０については、ボウル部１１６へ供給する洗浄水の供給量は、通常の前洗浄モードＮ０（例えば、時刻ｔ１から時刻ｔ２にかけて実行される前洗浄モードＮ０）においてボウル部１１６へ供給する洗浄水の供給量よりも多くする。
【００５８】
したがって、本洗浄モードＭ０を実行してから第一洗浄モードＭ１を実行するまでに使用者の接近を検知したとき、予定された第一洗浄モードＭ１および第二洗浄モードＭ２の実行をキャンセルすると共にボウル部１１６への洗浄水の供給量が通常時よりも多い前洗浄モードＮ０を実行することで、この前洗浄モードＮ０が第一洗浄モードＭ１の役割の一部を果たすことができるため、使用者が放尿している状態で第一洗浄モードＭ１および第二洗浄モードＭ２を実施する場合に比べて、滞留事象による排水横枝管の尿石発生を抑制することができる。
【００５９】
前述した各実施の形態が備える各要素は、技術的に可能な限りにおいて組み合わせることができ、これらを組み合わせたものも本発明の特徴を含む限り本発明の範囲に包含される。
【符号の説明】
【００６０】
１      小便器
２      壁面
４      器具排水管
６      排水横枝管
６ａ    内側壁面
６ｂ    境界部
６ｃ    尿石
６ｄ    上流側領域
６ｅ    下流側領域
８      小便器本体
１０    自動便器洗浄ユニット
１２    収納室
１４    前面
１６    ボウル部
１６ａ  底部
１８    排水口部
１８ａ  入口部
１８ｂ  出口部
２０    トラップ部
２２    排水器具接続部
２３    蓋
２４    排水ソケット
２６    給水管
２８    止水弁
３０    バルブユニット
３２    スプレッダ
３４    分岐部
３６    主給水流路
３８    定流量弁
４０    主給水流路電磁弁
４２    電解水流路
４４    定流量弁
４６    電解水流路電磁弁
４８    逆止弁
５０    電解水注入ユニット
５２    人体検知センサ
５４    制御ユニット
５６    接続部
５８    目皿
６０    排水口
Ｂ      矢印
Ｅ      下流側
Ｆ      上流側
Ｍ０    本洗浄モード
Ｍ１    第一洗浄モード
Ｍ２    第二洗浄モード
Ｍ３    強制開始モード
Ｎ０    前洗浄モード
Ｔ０    最高到達点
Ｔ１    最高到達点
Ｔ２    最高到達点
Ｕ      尿
Ｗ      溜水
Ｗｆ    洗浄水
ＷＬ０  喫水面
ＷＬ１  喫水面
ＷＬ２  喫水面
【図１】
2019152071.tif 000003
【図２】
2019152071.tif 000004
【図３】
2019152071.tif 000005
【図４】
2019152071.tif 000006
【図５】
2019152071.tif 000007
【図６】
2019152071.tif 000008
【図７】
2019152071.tif 000009
【図８】
2019152071.tif 000010
【図９】
2019152071.tif 000011
【図１０】
2019152071.tif 000012
【図１１】
2019152071.tif 000013